(57)【要約】【課題】  吐止水機構を備えたシャワーヘッドにおいて、美観の向上を図り、しかも熱湯を吐水しても確実に止水することができるとともに、さらに使い勝手の良いシャワーヘッドを提供する。【解決手段】  シャワーヘッド１０は、内部に空間１２が形成された把持部１１と、把持部１１の先端に形成され内部に切替室２２が設けられたヘッド部２１とを有し、前記把持部１１の空間には挿入筒１３が二重管状に挿入され、前記切替室２２には被覆材２５が挿入され、挿入筒１３と被覆材２５とを接続させることにより湯水の流路が形成され、把持部１１及びヘッド部２２の周面にはメッキを施し、前記挿入筒１３には吐水される湯水の吐止水操作を行う吐止水機構５０が収容されるとともに、前記被覆材２５には吐水される湯水の吐水形態を切り替える流路切替機構３１が収容される。【選択図】  図２
2007007026.tif 000002
【特許請求の範囲】
【請求項１】
内部に空間が形成された把持部と、把持部の先端に形成され内部に切替室が設けられたヘッド部とを有し、前記把持部の空間には挿入筒が二重管状に挿入され、前記切替室には被覆材が挿入され、挿入筒と被覆材とを接続させることにより湯水の流路が形成され、把持部及びヘッド部の周面にはメッキを施し、前記挿入筒には吐水される湯水の吐止水操作を行う吐止水機構が収容されるとともに、前記被覆材には吐水される湯水の吐水形態を切り替える流路切替機構が収容されたことを特徴とするシャワーヘッド。
【請求項２】
前記吐止水機構と流路切替機構とは何れも押し込み式のボタンと連繋したことを特徴とする請求項１記載のシャワーヘッド。
【発明の詳細な説明】
【技術分野】
【０００１】
本発明は、ボタンの操作で湯水を吐水状態，又は止水状態の何れかに切り替え可能なシャワーヘッドに関するものである。
【背景技術】
【０００２】
流し台や浴室等で使用されるシャワーヘッドにおいて、ボタンを操作することで湯水を吐水状態，又は止水状態の何れかに切り替えを可能としたシャワーヘッドとして公知のものに、特許文献１のものがある。
【０００３】
この特許文献１について簡単に説明すると、ボタンの操作で湯水を吐水状態，又は止水状態の何れかに切り替えを可能としたシャワーヘッドにおいて、シャワーヘッドは内部の流路を隔壁により一次流路と二次流路とに区画し、二次流路から一次流路にはボタンを押し込む度に湯水を吐水状態，又は止水状態の何れかに切り替えを可能とした吐止水機構が装着され、吐止水機構には止水時に一次流路の水圧が設定値以上に上昇すると一次流路と二次流路とを連通させることのできる安全弁を備えたものである。
【特許文献１】特開２０００−２８２５２６号公報
【発明の開示】
【発明が解決しようとする課題】
【０００４】
ところで、この種のシャワーヘッドにおいては、ボタンの操作で湯水を吐水状態又は止水状態の何れかに切り替える機能に加え、高級感を演出させ美観を向上させたいという要望があり、この要望に応えるために、シャワーヘッドの表面にメッキを施すことが行われている。そこで特許文献１のシャワーヘッドに対して、ヘッド本体の表面にメッキを施すと、中空形状のヘッド本体は、その外面及び内面にメッキが付着するとともに、その内部の空間は、内面にメッキが付着した状態で、湯水が通過する流路としてそのまま使用されることとなる。
【０００５】
また、この種のシャワーヘッドは合成樹脂で形成されることが一般的であることから、ヘッド本体の表面にメッキを施したシャワーヘッドを使用して熱湯を吐水させると、その熱によってシャワーヘッドはひずみや変形等が生じ易くなる。このため、特許文献１のシャワーヘッドにメッキを施すと、熱湯の吐水によりメッキが表面から剥離し易く、この剥離したメッキ片が湯水とともに流れてしまい、吐止水機構のパッキンに付着してしまうおそれがある。そしてメッキ片がパッキンに付着してしまうと、ボタンを操作して止水操作を行っても、確実に止水することができないおそれがある。この場合、シャワーヘッドを一旦分解して、パッキンの掃除を行い、メッキ片を除去しなければならず、その作業は面倒で、時間のかかるものであった。また、シャワーヘッドを分解している間に部品を紛失するおそれがある。さらにシャワーヘッドは、その先端に湯水の吐水，止水を行うための吐止水機構と、湯水の吐水形態を直流水又は散水に切り替えるための弁体及びレバーを備えているため大型化してしまい、使い勝手の悪いものであった。
【０００６】
本発明は、このような従来の技術に存在する問題点に着目してなされたものであり、その目的は、吐止水機構を備えたシャワーヘッドにおいて、美観の向上を図り、しかも熱湯を吐水しても確実に止水することができるとともに、さらに使い勝手の良いシャワーヘッドを提供することにある。
【課題を解決するための手段】
【０００７】
上記目的を達成するために、請求項１に記載されたシャワーヘッドは、内部に空間が形成された把持部と、把持部の先端に形成され内部に切替室が設けられたヘッド部とを有し、前記把持部の空間には挿入筒が二重管状に挿入され、前記切替室には被覆材が挿入され、挿入筒と被覆材とを接続させることにより湯水の流路が形成され、把持部及びヘッド部の周面にはメッキを施し、前記挿入筒には吐水される湯水の吐止水操作を行う吐止水機構が収容されるとともに、前記被覆材には吐水される湯水の吐水形態を切り替える流路切替機構が収容されたことを特徴とするものである。
【０００８】
請求項２は、請求項１記載の発明によるシャワーヘッドおいて、前記吐止水機構と流路切替機構とは何れも押し込み式のボタンと連繋したことを特徴とするものである。
【発明の効果】
【０００９】
本発明の請求項１では、シャワーヘッドを通過して吐水される湯水は把持部及びヘッド部の内周面に接触しない構成としたので、シャワーヘッドの表面に施したメッキが剥離しても、把持部の内部に収容された吐止水機構にメッキ片が流入することがなく、熱湯を吐水しても確実に止水することができる。また、シャワーヘッドにはメッキが施されているので、美観を向上させることができる。さらに、吐止水機構は把持部に収容されるとともに、流路切替機構はヘッド部に収容されたので、従来と比較してヘッド部をコンパクトに形成することができ、使い勝手を向上させることができる。
【００１０】
請求項２では請求項１記載の発明によるシャワーヘッドにおいて、吐止水機構と流路切替機構とは何れも押しボタンによる操作に統一したので、切替操作にとまどうことがない。
【発明を実施するための最良の形態】
【００１１】
以下、本発明の実施例を図に基づいて詳細に説明する。
【実施例１】
【００１２】
図１は、本発明のシャワーヘッド１０を使用した水栓Ａが浴室Ｂ内に取り付けられた状態の全体図である。
この水栓Ａは、湯供給管１及び水供給管１ａを介して浴室Ｂの壁面Ｃに装着され、本体２の内部に混合弁２ａが設けられており、本体２の一端に設けられた温調ハンドル３を操作することで、湯供給管１及び水供給管１ａから供給された湯，水を所望温度に混合し、本体２の他端に設けられた流調ハンドル３ａを操作することで、混合された湯水は、本体２の略中央に取り付けられた吐水管４、または両供給管１，１ａの間に取り付けられたホース５を介して接続されたシャワーヘッド１０の何れか一方から吐水されるものである。
【００１３】
図２に示すように、シャワーヘッド１０は合成樹脂により形成された中空形状で、円筒形状の把持部１１と、この把持部１１の先端に設けられたヘッド部２１とが一体に形成されており、把持部１１の内部には空間１２が形成され、ヘッド部２１の内部には切替室２２が形成されている。また、シャワーヘッド１０はその表面にニッケルクロム等の耐食性に優れ、高級感を演出するためのメッキが施されている。
【００１４】
前記切替室２２は下部に開口２３が形成されており、この開口２３から切替室２２の内周壁を覆うことのできる被覆材２５が装着されている。この被覆材２５は中空形状で、ヘッド部２１から吐水される湯水の吐水形態を切り替える流路切替機構３１が収容されるとともに、その下部には流路を仕切るための散水板２７が、分流材２６を介して装着されている。
【００１５】
前記散水板２７は合成樹脂からなる円盤形状で、被覆材２５に対して着脱自在に装着されるもので、その中心には直流孔２８が形成され、直流孔２８の外周には多数の小孔からなる環状の散水孔２９が形成されている。
【００１６】
前記流路切替機構３１は、被覆材２５によってヘッド部２１内に収容されており、切替ボタン３２の押し込み操作を繰り返すことにより、散水板２７から吐水される湯水の吐水形態を、直流孔２８から吐水される直流水、または散水孔２９から吐水される散水の何れかに切り替えるものである。
【００１７】
前記切替ボタン３２はヘッド部２１の側面に形成された横孔２４に、その一部が外部に突出するように介在され、切替ボタン３２と連繋する切替軸３３の保持部３４には、スプリング３５を介して弁体３６が収容されている。この弁体３６は、前記分流材２６に形成され直流孔２８に連通する第１吐水孔２６ａ、または散水孔２９に連通する第２吐水孔２６ｂの周縁に圧着している。なお、切替軸３３は公知のラッチ機構４３と連繋されており、切替ボタン３２を押す毎に弁体３６が移動し、この弁体３６が第１吐水孔２６ａまたは第２吐水孔２６ｂの何れか一方を閉塞し、他の一方を開放するように構成されている。
【００１８】
前記把持部１１の空間１２には挿入筒１３が挿入されている。
挿入筒１３は合成樹脂からなる円筒形状で、前記被覆材２５との間には中途で折曲された通水管６が接続されている。この通水管６は両端に形成された鍔部７にシール材８がそれぞれ装着され、挿入筒１３及び被覆材２５に対して水密状態を維持するように接続されている。なお、挿入筒１３と被覆材２５とは、その間に通水管６を設けないで直接接続してもよい。したがって、前記水栓Ａからホース５を介してシャワーヘッド１０に供給された湯水は、シャワーヘッド１０の内部に二重管状に挿入されている挿入筒１３及び通水管６の内部を通過して切替室２２に供給され、被覆材２５に収容された流路切替機構３１により、直流または散水の何れかの吐水形態で吐水されるものである。
【００１９】
前記挿入筒１３はホース５との間に吐止水機構５０が収容され、この吐止水機構５０により、挿入筒１３の内部は１次側流路Ｌ１と２次側流路Ｌ２とに区画されている。吐止水機構５０は開閉弁としてのフラッシュ弁からなり、図２に示すように、１次側流路Ｌ１と２次側流路Ｌ２との間にケース体５１を有している。ケース体５１は中空形状で、１次側流路Ｌ１と２次側流路Ｌ２との間で流入口５１ａと流出口５１ｂとがそれぞれ形成され、その内部には第１弁体５２が摺動自在に設けられている。この第１弁体５２は、ケース体５１に形成された第１シート部５１ｃに対して接離するもので、その軸心には貫通孔５３が形成されている。また、ケース体５１は第１シート部５１ｃの反対側に螺着された蓋５１ｄと第１弁体５２との間に圧力室Ｐ１が形成されおり、この圧力室Ｐ１は第１弁体５２に形成された連通孔５４及び流入口５１ａを介して１次側流路Ｌ１と連通している。さらに第１弁体５２の貫通孔５３には第２弁体５６が相対摺動可能に設けられており、第１弁体５２の貫通孔５３と第２弁体５６の外周面との間には隙間５７が形成されている。そして、前記圧力室Ｐ１は、第２弁体５６の先端に形成された大径部５６ａと蓋５１ｄとの間に第１スプリング５８が介在され、この第１スプリング５８は、第２弁体５６の大径部５６ａを第１弁体５２に装着された第２シート部５５に向けて付勢している。なお、第１弁体５２の連通孔５４にはクリーニングピン５９が挿通されており、このクリーニングピン５９が連通孔５４を上下に移動することで、連通孔５４に異物が付着するのを防止している。
【００２０】
前記挿入筒１３の外周面にはカバー４２が装着されている。このカバー４２は把持部１１の外周面に穿設された挿通孔１１ｂを貫通して挿入筒１３に装着され、前記吐止水機構５０を開閉するための吐止水ボタン４１が取り付けられている。カバー４２の内部には公知のラッチ機構４３ａが収容され、このラッチ機構４３ａは吐止水ボタン４１と連繋している。吐止水ボタン４１は操作軸４４及びラッチ機構４３ａと連繋し、操作軸４４の先端は、挿入筒１３の内部で第２弁体５６の先端と垂直方向に向かいあって当接している。そして、ラッチ機構４３ａの作用により、吐止水ボタン４１の押し込み操作を繰り返す毎に、吐止水ボタン４１と連繋した操作軸４４が吐止水機構の５０の第２弁体５６を押し動かし、第２弁体５６はその大径部５６ａが、第１弁体５２に装着された第２シート部５５に密着する位置と、蓋５１ｄ側に押し込まれた位置とに交互に配置される。この場合、止水状態では、圧力室Ｐ１内の圧力水と第１スプリング５８の弾性力とにより、第１弁体５２は第１シート部５１ｃに、第２弁体５６の大径部５６ａは第２シート部５５に密着した状態にある。
【００２１】
このような止水状態において、シャワーヘッド１０の下部から吐止水ボタン４１を押し込み操作すると、図３（ａ）に示すように、吐止水ボタン４１と連繋した操作軸４４は挿入筒１３の内部へ押し込まれた状態で保持される。このとき、吐止水機構５０の第２弁体５６は、その大径部５６ａが操作軸４４により第１弁体５２の第２シート部５５から離れて、圧力室Ｐ１内に押し動かされた状態となる。すると、第１弁体５２の連通孔５４、及び第１弁体５２の貫通孔５３と第２弁体５６の外周面との間に形成された隙間５７によって、１次側流路Ｌ１から２次側流路Ｌ２へ少量の湯水が流れる。このため、圧力室Ｐ１内の水圧が低下して、第１弁体５２はケース体５１の第１シート部５１ｃから離れて開放側へ移動され、吐水状態となる。
【００２２】
また、この状態で吐止水ボタン４１を押し込み操作すると、図３（ｂ）に示すように、第１スプリング５８の弾性力により第２弁体５６の大径部５６ａが第１弁体５２の第２シート部５５に密着した状態となる。すると、第１弁体５２の連通孔５４を介して圧力室Ｐ１へ流入した水圧により、第１弁体５２はケース体５１の第１シート部５１ｃに密着し、止水状態となる。
【００２３】
以上のように本発明では、シャワーヘッドは把持部の空間に挿入筒を挿入した二重管状とし、湯水が通過する挿入筒に吐止水機構を挿入するように構成したので、シャワーヘッドの表面に施したメッキが剥離しても、挿入筒に収容された吐止水機構にメッキ片が付着することはなく、湯水の止水を確実に行うことができる。また、シャワーヘッドの表面にはメッキが施されているので、美観を向上させることができる。さらに、流路切替機構はヘッド部の内部に収容し、吐止水機構はシャワーヘッドの把持部の内部に収容したので、従来と比較してヘッド部をコンパクトに形成することができ、使い勝手を向上させることができる。また、吐止水機構と流路切替機構とは何れも押しボタンによる操作に統一したので、切替操作にとまどうことがない。
【実施例２】
【００２４】
図４及び図５は本発明の第２の実施例によるシャワーヘッドである。実施例２のシャワーヘッドは、実施例１のシャワーヘッドとは吐止水機構の構成が異なるのみであり、実施例１と同一の構成については同一符号を付し、その詳細な説明は省略する。
【００２５】
実施例２のシャワーヘッド１０ａにおいて、吐止水機構６０は、止水時における１次側流路Ｌ１の水圧が極端に高くなると、１次側流路Ｌ１と２次側流路Ｌ２とを連通させることのできる安全弁を備えたものであり、図４に示すように、１次側流路Ｌ１と２次側流路Ｌ２との間にケース体６１を有している。ケース体６１は中空形状で、１次側流路Ｌ１と連通する流入口６１ａと、２次側流路Ｌ２と連通する流出口６１ｂとがそれぞれ形成され、その内部には第２スプリング６７を介して第３弁体６２が相対摺動可能に設けられている。この第３弁体６２は前記流出口６１ｂに対して接離するものであり、その一端は２次側流路Ｌ２に収容され、吐止水ボタン４１と連繋した操作軸４４に対し垂直方向に当接している。また、第３弁体６２の他端には弁室６３が形成されるとともに、その端部には蓋体６５が螺着されている。この蓋体６５には軸心方向に通水孔６６が穿設されており、この通水孔６６により１次側流路Ｌ１と弁室６３とが連通している。そして、弁室６３の軸心には断面Ｔ字型の小孔６４が形成され、この小孔６４により弁室６３と２次側流路Ｌ２とが連通している。前記弁室６３には通水孔６６を開閉するためのボール弁６８が収容されており、このボール弁６８は弁室６３に収容された第３スプリング６９により、通水孔６６側へ付勢されている。
【００２６】
実施例２のシャワーヘッド１０ａにおいて、前記１次側流路Ｌ１を通過する湯水が通常の水圧の場合は、第３スプリング６９の弾性力によりボール弁６８が蓋体６５の通水孔６６を閉塞するように押圧しているが、何らかの理由により、１次側流路Ｌ１の水圧が第３スプリング６９のばね荷重に打ち勝つほどに上昇すると、図５（ｃ）に示すようにボール弁６８は移動し、蓋体６５から離れることにより、１次側流路Ｌ１内の湯水は蓋体６５の通水孔６６から弁室６３に供給される。
【００２７】
そして、弁室６３へ供給された湯水は、第３弁体６２の小孔６４から２次側流路Ｌ２へ供給され、ヘッド部２１の散水板２７から外部へ吐出されるので、ホース５及びシャワーヘッド１０ａ内の過大な水圧の上昇を防止することができるものである。
【００２８】
この状態において、シャワーヘッド１０ａの下部から吐止水ボタン４１を押し込み操作すると、図５（ａ）に示すように、吐止水ボタン４１と連繋した操作軸４４は押し込まれた状態で保持される。このとき、吐止水機構６０の第３弁体６２は操作軸４４によりケース体６１の流出口６１ｂから離れて、吐水状態となる。
【００２９】
また、この状態で吐止水ボタン４１を押し込み操作すると、図５（ｂ）に示すように、第３スプリング６９の弾性力により吐止水機構６０の第３弁体６２が流出口６１ｂを閉塞し、止水状態となる。
【００３０】
このように本発明の実施例２では実施例１による効果に加え、ホースの流路及びシャワーヘッドの１次側流路は一定の水圧以下に維持され、ホース及びシャワーヘッドに対し高圧力水が加わることにより発生する内部部品の破損や漏水等を防止することができる。
【実施例３】
【００３１】
図６及び図７は、本発明の第３の実施例によるシャワーヘッドである。実施例３のシャワーヘッドは、実施例１のシャワーヘッドとは吐止水機構に水撃防止手段を備えた構成が異なり、実施例１と同様の構成については同一符号を付し、詳細な説明は省略する。
【００３２】
シャワーヘッド１０ｂは合成樹脂により形成された中空形状で、円筒形状の把持部１１ａと、把持部１１ａの先端に形成されたヘッド部２１ａとが別体に形成されており、この把持部１１ａとヘッド部２１ａとは抜止具１４により連結されている。把持部１１ａ及びヘッド部２１ａの表面には、ニッケルクロム等の耐食性に優れ、高級感を演出するためのメッキが施されている。
【００３３】
前記ヘッド部２１ａは内部に切替室２２が形成されており、この切替室２２には、下部に開口２３が形成されており、この開口２３から切替室２２の内周壁部を覆うことのできる被覆材２５が装着されている。この被覆材２５の内部には、ヘッド部２１ａから吐水される湯水の吐水形態を切り替える流路切替機構３１が収容されるとともに、その下部には湯水の流路を仕切るための分流材２６を介して散水板２７が装着されている。
【００３４】
前記把持部１１ａは細長の円筒形状で、内部には空間１２ａが形成され、この空間１２ａに挿入筒１３ａ，１３ｂが挿入されている。挿入筒１３ａ，１３ｂは、両端に形成された鍔部１５にシール材１６がそれぞれ装着され、後述する吐止水機構７０と被覆材２５、吐止水機構７０とホース５とを水密状態を維持するようにそれぞれ接続されている。したがって、シャワーヘッド１０ｂに供給された湯水は、シャワーヘッド１０ｂの内部に二重管状に装着されている挿入筒１３ａ，１３ｂの内部を通過して切替室２２に供給され、前記流路切替機構３１により直流または散水の何れかの吐水形態で吐水されるものである。前記両挿入筒１３ａ，１３ｂの間には吐止水機構７０が収容され、この吐止水機構７０により、把持部１１ａの内部は１次側流路Ｌ１と２次側流路Ｌ２とに区画されている。この吐止水機構７０は第１挿入筒１３ａを介してホース５と連通するとともに、第２挿入筒１３ｂを介して被覆材２５と連通している。また、吐止水機構７０により１次側流路Ｌ１と２次側流路Ｌ２とに区画されている。
【００３５】
前記吐止水機構７０は開閉弁としての機能を果たすものであり、図６に示すように、ケース体７１を有している。このケース体７１は中空形状で、流入口７１ａと流出口７１ｂとがそれぞれ形成され、その内部に第４スプリング７６を介して第４弁体７２が設けられている。この第４弁体７２は、ケース体７１に形成された弁口７１ｃに対して接離するものであり、その軸心に貫通孔７３が形成されるとともに、第４スプリング７６が配置された反対側の端部には一部を切り欠いた切欠溝７４が形成されている。第４スプリング７６が配置されている側であって、第４弁体７２とケース体７１との間には圧力室Ｐ２が形成され、この圧力室Ｐ２は第４弁体７２に形成された連通孔７３ａを介して１次側流路Ｌ１と連通している。第４弁体７２の貫通孔７３には水撃防止手段である第５弁体７７が相対摺動可能に設けられており、第４弁体７２の貫通孔７３と第５弁体７７との間には隙間７８が形成されている。第５弁体７７と圧力室Ｐ２との間には第５スプリング７９が介在され、この第５スプリング７９は、第４弁体７２に形成された第３シート部７５に向かって第５弁体７７を付勢している。
【００３６】
前記吐止水機構７０は、弁体７２，７７の開閉操作をするための吐止水ボタン４１と連繋しており、この吐止水ボタン４１を支持するカバー４２の内部には、公知のラッチ機構４３ａが介装されている。そして、このラッチ機構４３ａの作用により、吐止水ボタン４１を押し込み操作する毎に、吐止水ボタン４１と連繋した操作軸４４が第５弁体７７を押し動かし、第５弁体７７はケース体７１の弁口７１ｃに密着する位置と、圧力室Ｐ２側に押し込まれた位置とに交互に配置される。この場合、止水状態では圧力室Ｐ２内の水圧と、第５スプリング７９の弾性力とにより、第４弁体７２は弁口７１ｃを閉塞するとともに、第５弁体７７は第４弁体７２の第３シート部７５に密着した状態にある。
【００３７】
この状態において、吐止水ボタン４１を押し込み操作すると、図７（ａ）に示すように、吐止水ボタン４１と連繋した操作軸４４は押し込まれた状態で保持される。このとき、第５弁体７７は操作軸４４により第４弁体７２の第３シート部７５から離れて、圧力室Ｐ２内に押し動かされた状態となる。すると、第４弁体７２の連通孔７３ａ、第４弁体７２の貫通孔７３と第５弁体７７との間に形成された隙間７８、第４弁体７２の切欠溝７４の順に少量の湯水が流れる、すなわち１次側流路Ｌ１から２次側流路Ｌ２へ少量の湯水が流れることにより、圧力室Ｐ２内の水圧が低下する。このため、第４弁体７２が弁口７１ｃを開放する方向へ移動し、吐水状態となる。
【００３８】
また、この状態で吐止水ボタン４１を押し込み操作すると、図７（ｂ）に示すように、第５スプリング７９の弾性力により第５弁体７７が第４弁体７２の第３シート部７５に密着した状態となる。そして、第４弁体７２の挿通孔７３ａを介して圧力室Ｐ２へ流入した水圧により、第４弁体７２が弁口７１ｃを閉塞し、止水状態となる。
【００３９】
このように本発明では、シャワーヘッドは二重管状となるように構成され、シャワーヘッドに施したメッキが剥離しても、挿入筒に収容された吐止水機構にメッキ片が付着することはなく、湯水の止水を確実に行うことができる。また、シャワーヘッドにはメッキが施されているので、美観を向上させることができる。さらに、吐止水機構は止水時に瞬時に止水するのではなく、２段階で止水するため、水撃の発生を防止することができる。
【図面の簡単な説明】
【００４０】
【図１】本発明のシャワーヘッドを、浴室用のシャワーヘッドとして使用した場合の説明図である。
【図２】本発明の第１の実施例を示す断面図である。
【図３】図２における吐止水機構の要部拡大図であり、（ａ）は吐水状態を、（ｂ）は止水状態である。
【図４】本発明の第２の実施例を示す断面図である。
【図５】図４における吐止水機構の要部拡大図であり、（ａ）は吐水状態を、（ｂ）は止水状態を、（ｃ）は安全弁が作動した状態である。
【図６】本発明の第３の実施例を示す断面図である。
【図７】図６における吐止水機構の要部拡大図であり、（ａ）は吐水状態を、（ｂ）は止水状態である。
【符号の説明】
【００４１】
１０：シャワーヘッド
１１：把持部
１２：空間
１３：挿入筒
２１：ヘッド部
２２：切替室
２５：被覆材
３１：流路切替機構
５０：吐止水機構
【図１】
2007007026.tif 000003
【図２】
2007007026.tif 000004
【図３】
2007007026.tif 000005
【図４】
2007007026.tif 000006
【図５】
2007007026.tif 000007
【図６】
2007007026.tif 000008
【図７】
2007007026.tif 000009